(57)【要約】【課題】自宅等で手軽に使用でき、適度な光を発する光照射装置を提供すること。【解決手段】本発明に係る光照射装置は、発光部と、該発光部における発光動作を制御する制御回路と、前記発光部を所定の状態に支持する支持構造と、を備えた光照射装置において、前記発光部は、光を照射対象に照射するように配設されたＬＥＤ素子と、前記照射対象からの反射光を、再び前記照射対象へ向けて反射するように構成された反射手段と、を備えたことを特徴としている。【選択図】図１
2007324026.tif 000002
【特許請求の範囲】
【請求項１】
発光部と、該発光部における発光動作を制御する制御回路と、前記発光部を所定の状態に支持する支持構造と、を備えた光照射装置において、
前記発光部は、
光を照射対象に照射するように配設されたＬＥＤ素子と、
前記照射対象からの反射光を、再び前記照射対象へ向けて反射するように構成された反射手段と、
を備えたことを特徴とする光照射装置。
【請求項２】
前記発光部には多数のＬＥＤ素子が配設され、
前記制御回路は、これらのＬＥＤ素子をグループに分けて、各グループごとに発光強度を制御可能に構成されていることを特徴とする請求項１に記載の光照射装置。
【請求項３】
前記発光部には異なる色で発光する多数のＬＥＤ素子が配設され、
前記制御回路は、これらのＬＥＤ素子を発光色別にグループに分けて、各グループごとに発光強度を制御することによって、種々の発光色で発光可能に構成されていることを特徴とする請求項１に記載の光照射装置。
【請求項４】
前記制御回路は、前記発光部を所定の時刻に所定の発光パターンで発光させるように制御するタイマー機能を備えていることを特徴とする請求項１〜３の何れか１項に記載の光照射装置。
【請求項５】
前記支持構造は、
基部と、該基部に配設された回動軸にて回動可能に支持されたフレーム部と、前記発光部を前記フレーム部に対して回動可能に支持する回動軸とを備え、前記発光部の光照射方向を少なくとも下方と前方とに設定可能に構成されていることを特徴とする請求項１〜４の何れか１項に記載の光照射装置。
【発明の詳細な説明】
【技術分野】
【０００１】
本発明は、家庭内で個人的に使用可能な美顔用の光照射装置に関するものである。
【背景技術】
【０００２】
人間の健康的な活動のためには適度な太陽光線が必要であると言われ、また、体内時計の正常な作動のためや自律神経を整えるためにも、適正な光線の変化が必要であると言われている。
【発明の開示】
【発明が解決しようとする課題】
【０００３】
しかし、現代の都会生活などにおいては、適度な太陽光線を浴びる機会も少なく、また、生活リズムが不規則なために自律神経が乱れることも懸念されている。
また、太陽光線を浴びるために日光浴をする機会を得ても、自然の太陽光線には皮膚にダメージを与える紫外線も多く含まれているために、適度な太陽光線を浴びることは容易ではない。
【０００４】
そこで本発明は、自宅等で手軽に使用でき、適度な光を発する光照射装置を提供することを目的としてなされたものである。
【課題を解決するための手段】
【０００５】
本発明に係る請求項１の光照射装置は、
発光部と、該発光部における発光動作を制御する制御回路と、前記発光部を所定の状態に支持する支持構造と、を備えた光照射装置において、
前記発光部は、
光を照射対象に照射するように配設されたＬＥＤ素子と、
前記照射対象からの反射光を、再び前記照射対象へ向けて反射するように構成された反射手段と、
を備えたことを特徴としている。
請求項２の発明では、
前記発光部には多数のＬＥＤ素子が配設され、
前記制御回路は、これらのＬＥＤ素子をグループに分けて、グループごとに発光強度を制御可能に構成されている。
請求項３の発明では、
前記発光部には異なる色で発光する多数のＬＥＤ素子が配設され、
前記制御回路は、これらのＬＥＤ素子を発光色別にグループに分けて、各グループごとに発光強度を制御することによって、種々の発光色で発光可能に構成されている。
請求項４の発明では、
前記制御回路は、前記発光部を所定の時刻に所定の発光パターンで発光させるように制御するタイマー機能を備えている。
請求項５の発明では、
前記支持構造は、
基部と、該基部に配設された回動軸にて回動可能に支持されたフレーム部と、前記発光部を前記フレーム部に対して回動可能に支持する回動軸とを備え、前記発光部の光照射方向を少なくとも下方と前方とに設定可能に構成されている。
【発明の効果】
【０００６】
請求項１の発明によれば、
照射対象からの反射光を、再び前記照射対象へ向けて反射するように構成された反射手段を備えているので、反射光も効率よく照射対象の皮膚などに照射することができるとともに、反射光を拡散して照射対象の皮膚などに照射することができる。
請求項２の発明によれば、
多数のＬＥＤ素子をグループに分けて、グループごとに発光強度を制御可能に構成されているので、光の色や強度を種々のパターンに制御することができ、それぞれのパターンによる種々の効果が期待できる。
請求項３の発明によれば、
前記発光部には異なる色で発光する多数のＬＥＤ素子が配設され、
前記制御回路は、これらのＬＥＤ素子を発光色別にグループに分けて、各グループごとに発光強度を制御することによって、種々の発光色で発光可能に構成されているので、種々の効果が期待できる種々の色の光を照射することができる。
請求項４の発明によれば、
前記発光部を所定の時刻に所定の発光パターンで発光させるように制御するタイマー機能を備えているので、起床時間に合わせて所定の発光パターンで発光させることにより、健康的な目覚めが可能となり、自律神経の活動リズムを整えることが期待できる。
請求項５の発明によれば、
前記発光部の光照射方向を少なくとも下方と前方とに設定可能に構成されている支持機構を備えているので、光照射方向を下方に設定して腕などに照射したり、前方に設定して顔に照射したりすることができ、多様な形態で利用可能となる。
【発明を実施するための最良の形態】
【０００７】
以下に、本発明にかかる光照射装置を、その実施の形態を示した図面に基づいて詳細に説明する。
斜視図を示した図１において、
１は本発明に係る光照射装置であり、回路基板などを含んだ矩形の基部２と、該基部２の一辺近傍の回動軸２１によって、倒れた状態から起立した状態まで回動可能に支持されたフレーム部３と、該フレーム部３の一辺近傍の回動軸３１で支持されてＬＥＤ光源が多数配列された発光部４と、によって構成されている。
前記発光部４は、以上の支持機構１０によって、前記フレーム３に沿って閉じた状態からフレームに対して100度程度開いた状態まで回動可能に支持されている。
【０００８】
側面視では、前記発光部４と、フレーム部３と、基部２とによって、アルファベットの「Ｚ」字状に開くことが可能となっている。（図２参照）
図２に示した状態では、フレーム部３は２本の脚を備えた門状になり、２本の脚の下端に前記回動軸３１が配設された状態となる。
前記発光部４と、フレーム部３と、基部２とを閉じた状態では、側面視では、前記フレーム部３の内側に前記発光部４と基部２とが収まった状態になり、ほぼ一枚の板状に畳まれる。（図３参照）
右側面から視て、基部２とフレーム部３との成す角は０度から反時計回り方向に約100度まで、発光部４とフレーム部３との成す角は０度から時計回り方向に約100度まで、回動可能となっている。
【０００９】
前記発光部４を閉じた状態での下面（図１では前面、図２では下面、図３では下面）には多数のＬＥＤ光源５が配列されている。各ＬＥＤ光源５の正面図を示した図４と、側面断面図を示した図５に示したように、各ＬＥＤ光源５は、それぞれ青色光（主波長５００ｎｍ）を発光するＬＥＤ素子５ａ、黄色光（主波長５７０ｎｍ）を発光するＬＥＤ素子５ｂ、赤色光（主波長６４０ｎｍ）を発光するＬＥＤ素子５ｃ、そして近赤外光（主波長９４０ｎｍ）を発光するＬＥＤ素子５ｄとをまとめて１つの光源としている。なお、前記波長は一例であって、かかる波長に限定されるものではない。
なお、４つのＬＥＤ素子５ａ，５ｂ，５ｃ，５ｄへ流す電流を制御することによって、光線の色成分を変化させることによって、それぞれの色成分によって例えば以下のような効果が期待できる。
青色光：皮膚の炎症を抑える効果。
黄色光：ビタミン類の吸収を促進する効果。
赤色光：皮膚の保湿効果。
近赤外光：肌の活性化を促進する効果。
【００１０】
図４、５に示した各ＬＥＤ光源５，５，５，５間の平面部５１は鏡面となっており、ＬＥＤ光源５からの光が照射対象の人体の表面で反射すると、再び人体側へ反射するように反射手段が構成されている。
また、図４、５に示した各ＬＥＤ光源５は、発光部４に形成された凹部５２の内壁面も鏡面となっている。
以上の構成によって、各ＬＥＤ光源５からの光は人体側へ照射され、人体の表面で反射した光は、前記鏡面５１と凹部５２で反射されて、再び人体側へ照射されるので、光の無駄が少なくなり、各ＬＥＤ光源５からの光を効率よく利用することができる。
【００１１】
ブロック図を示した図６において、
６は制御回路であり、ＣＰＵ６１、ＬＥＤ駆動回路６２、操作スイッチ６３、表示部６４、電源部６５から構成されている。
前記発光部４の各ＬＥＤ光源５を構成する全てのＬＥＤ素子５ａ，５ｂ，５ｃ，５ｄは、前記ＬＥＤ駆動回路６２に接続され、各色のＬＥＤ素子ごとに駆動電流が系統的に制御されるように構成されている。例えば各ＬＥＤ素子５ａは互いに直列接続されて、前記ＣＰＵ６１からまとめて制御できるように構成され、同じように、各ＬＥＤ素子５ｂ、各ＬＥＤ素子５ｃ、各ＬＥＤ素子５ｃもそれぞれが直列接続されて、前記ＣＰＵ６１からそれぞれまとめて制御できるように構成されている。
【００１２】
前記ＣＰＵ６１は、ＲＯＭやＲＡＭ等を内蔵したワンチップマイコンであり、フラッシュメモリを備え、所定の制御プログラムが書き込まれ保持されている。
前記所定の制御プログラムとは、前記操作スイッチ６３を構成する複数のスイッチの何れかを操作すると、そのスイッチに割り当てられたパターンで前記発光部４の発光パターンを制御する。
例えば、発光強度の強弱を制御するスイッチが操作されると、各ＬＥＤ素子に流す電流もしくは点滅のデューティ比などを増減制御して発光強度を制御する。
また、照射時間の長短を制御するスイッチが操作されると、指定された照射時間が経過すると発光部４の発光を停止する。
また、発光パターンを選択するスイッチが操作されると、選択された発光パターンに応じて発光部４の発光色を時間経過に従って変化させ、精神的なリラックス効果を得たり、元気がでたり、覚醒したりすることもできる。
また、電源スイッチが操作されると、当該光照射装置の電源をオンオフ制御する。つまり、電源オフの状態で操作すると電源オンとなり、電源オンの状態で操作すると電源オフとなる。
また、タイマー機能を設定するスイッチが操作されると、発光開始時刻と発光パターンとを設定することができる。例えば、発光開始時刻を午前６時に設定し、発光パターンを白色に設定すると、午前６時になると、全てのＬＥＤ素子が発光して太陽光に近い白色で発光開始するので、例え自然の太陽光が差し込まない部屋であっても、擬似的な太陽光を浴びて健康的な目覚めが可能となる。
【００１３】
前記回動軸２１および回動軸３１には、適度な制動機構が内蔵されており、回動範囲内であれば、任意の角度で保持することができる。
従って、例えば、顔に照射したい場合には、図７の（ａ）に示すように、発光部４のみを起こすと、発光面が手前側を向くので、電源をオンして所定の操作スイッチを操作して発光開始させて、発光部４側へ顔Ｆを向けると、顔ＦにＬＥＤ素子からの光が照射され、顔の皮膚が健康になり、顔に対する美顔効果を得ることができる。
また、例えば、腕に対して照射したい場合には、図７の（ｂ）に示すように、図７の（ａ）の状態から、さらに、前記フレーム部３を手前側に引き起こすと、側面視でＺ字状になり、発光面が下を向くので、電源をオンして所定の操作スイッチを操作して発光開始させて、発光部４の下に腕Ａを置くと、その腕ＡにＬＥＤ素子からの光が照射され、腕に対する美顔効果を得ることができる。
【００１４】
また、支持機構としては、種々の形態が可能であり、例えば図８に示したような形態も可能である。
図８において、発光部４Ｂと、フレーム部３Ｂと、基部２Ｂとによって、片仮名の「コ」字状に開くことが可能となっている。
図８の（ａ）に示した状態では、発光部４Ｂの照射方向は下方を向いており、腕などに照射することに適している。
図８の（ｂ）に示した状態では、発光部４Ｂの照射方向は前方を向いており、顔などに照射することに適している。
図８の（ｃ）に示した状態では、前記発光部４Ｂと、フレーム部３Ｂと、基部２Ｂとが重なって、前記フレーム部３Ｂの内側に前記発光部４Ｂと基部２Ｂとが収まった状態になり、ほぼ一枚の板状に畳まれる。
前記基部２Ｂとフレーム部３Ｂとの回動軸２１Ｂは、図８の（ｃ）に示した折り畳んだ状態（０度）から図８の（ａ）に示した使用状態（約９０度）まで回動可能となり、前記フレーム部３Ｂ発光部４Ｂとの回動軸３１Ｂは、図８の（ｃ）に示した折り畳んだ状態（０度）から図８の（ａ）に示した使用状態（約２５０度）まで回動可能となるように構成されている。
なお、図８の（ａ）、（ｂ）に示したような使用状態で安定して使用するためには、前記基部２Ｂは、広くしたり、重くしたりすることが好ましい。
支持機構としては、また、発光部の裏面に折り畳み可能なスタンドを設けてもよい。
なお、本発明の光照射装置の照射対象としては、主に人体、特には皮膚や肌を想定しているが、ペットなどの小動物や、魚や植物などの諸生物に照射したり、照明手段として利用することができることは言うまでもない。
【図面の簡単な説明】
【００１５】
【図１】本発明にかかる光照射装置の実施の形態の斜視図である。
【図２】前記光照射装置の側面説明図である。
【図３】前記光照射装置の側面断面図である。
【図４】前記光照射装置の発光部の一部拡大図である。
【図５】図４のＸ−Ｘ線断面図である。
【図６】前記光照射装置の電気回路のブロック図である。
【図７】前記光照射装置の使用状態の説明図である。
【図８】別の形態の光照射装置の説明図である。
【符号の説明】
【００１６】
１  光照射装置
１０  支持機構
２  基部
２１  回動軸
３  フレーム部
３１  回動軸
４  発光部
５  ＬＥＤ光源
６  制御回路
【図１】
2007324026.tif 000003
【図２】
2007324026.tif 000004
【図３】
2007324026.tif 000005
【図４】
2007324026.tif 000006
【図５】
2007324026.tif 000007
【図６】
2007324026.tif 000008
【図７】
2007324026.tif 000009
【図８】
2007324026.tif 000010